(57)【要約】【課題】  回転体の始動必要トルクのばらつきがあっても、停止操作期間がばらつくことがない遊技機を提供する。【解決手段】  回転体１１、２１、３１には、表示用図柄が設けられている。制御回路１は、スタート信号出力部１６からスタート信号が出力されると、回転体１１、２１、３１を定常回転速度で回転させる。また、ストップ信号出力部１７からストップ信号が出力されると、回転体１１、２１、３１を停止させる。さらに、回転体１１、２１、３１の回転速度が定常回転速度に達した後、ストップ信号が設定期間以上出力されない場合には、回転体１１、２１、３１を停止させる。【選択図】    図２
2006110017.tif 000002
【特許請求の範囲】
【請求項１】
周方向に沿って複数の表示用図柄が設けられている複数の回転体と、前記複数の回転体に設けられている表示用図柄を表示可能な表示部と、前記複数の回転体を駆動する駆動手段と、開始信号出力手段と、前記複数の回転体に対応して設けられている複数の停止信号出力手段と、前記開始信号出力手段から開始信号が出力されると前記駆動手段を制御して前記複数の回転体を定常回転速度で回転させ、前記停止信号出力手段から停止信号が出力されると、前記駆動手段を制御し、前記停止信号を出力した停止信号出力手段に対応する回転体を停止させる制御手段を備え、前記表示部に所定の図柄配列が表示されると遊技者に特典が付与される遊技機であって、
前記制御手段は、前記回転体の回転速度が定常回転速度に達してから設定期間内に、当該回転体に対応する停止信号出力手段から停止信号が出力されない場合には、前記駆動手段を制御して当該回転体を停止させる、
ことを特徴とする遊技機。
【発明の詳細な説明】
【技術分野】
【０００１】
本発明は、表示用図柄を表示する表示器、特に、表示用図柄が周方向に複数設けられた回転体を有する回転型表示器を備える遊技機に関する。
【背景技術】
【０００２】
遊技機、例えば、スロットマシンでは、表示用図柄を表示する表示装置として回転型表示装置が用いられている。回転型表示装置は、複数の表示用図柄が、外周側に周方向に沿って設けられた回転体等の表示手段、表示手段を駆動する電動機（例えば、パルスモータ）等の駆動手段、駆動手段を制御する制御手段を有している。表示用図柄としては、文字、数字、アルファベット、風景、キャラクタ等の種々の図柄が用いられる。
制御手段は、スタートレバーが操作されて始動信号が入力されると、駆動手段を制御して回転体を回転させ、停止ボタンが操作されて停止信号が入力されると、駆動手段を制御して回転体を停止させる。また、制御手段は、遊技時間を制限するため、始動信号が入力されてから設定期間内に停止信号が入力されない場合には、駆動手段を制御して回転体を強制的に停止させる。
【発明の開示】
【発明が解決しようとする課題】
【０００３】
遊技者は、停止ボタンを操作する際、回転体の回転状態（表示部に表示される表示用図柄の変動状態）を視認することによって、停止ボタンの操作タイミングを決定する（「目押し」という）。回転体の回転状態の視認結果から停止ボタンの操作タイミングを決定する場合、回転体が一定速度で回転している状態でないと操作タイミングを正確に決定することができない。
ここで、停止状態にある回転体の回転速度が定常回転速度に達するまでの期間（始動期間）は、回転体により、また、回転体の停止位置により異なる場合がある。例えば、製造公差や回転体上での部品の配設状態によって、回転体を始動させるのに必要な始動トルク（必要始動トルク）がばらつく。また、同じ回転体であっても、回転体に周方向に沿って設けられる表示用図柄や、回転体の位置を判別するために回転体に設けられる指示部により、回転体の必要始動トルクが回転体の停止位置によってばらつく。例えば、回転体の重い部分が下降する場合には必要始動トルクは小さくなり、逆に、回転体の重い部分が上昇する場合には必要始動トルクは大きくなる。このように、回転体の必要始動トルクのばらつきによって始動期間が異なる。
従来の遊技機では、回転体を強制的に停止させることを判断する設定期間に、回転体の始動期間を含めているため、遊技者が停止ボタンの操作タイミングを正確に決定することができる期間は、［設定期間−始動期間］となる。前述したように始動期間は回転体の必要始動トルクのばらつきにより異なるため、遊技者が停止ボタンの操作タイミングを容易に決定することができる期間（停止操作期間）も、回転体の必要始動トルクのばらつきによって異なる。
そこで、本発明が解決しようとする課題は、回転体の始動必要トルクのばらつきがあっても、遊技者が停止ボタンの操作タイミングを容易に決定することができる期間（停止操作期間）がばらつくことがない遊技機を提供することである。
【課題を解決するための手段】
【０００４】
前記課題を解決するための本発明の第１発明は、請求項１に記載されたとおりの遊技機である。
請求項１に記載の遊技機は、周方向に沿って複数の表示用図柄が設けられている複数の回転体と、複数の回転体に設けられている表示用図柄を表示可能な表示部と、複数の回転体を駆動する駆動手段と、開始信号出力手段と、複数の回転体に対応して設けられた複数の停止信号出手段と、制御手段を有している。
制御手段は、開始信号出力手段から開始信号が出力されると複数の回転体を定常回転速度で回転させ、停止信号出力手段から停止信号が出力されると、当該停止信号を出力した停止信号出力手段に対応する回転体を停止させる。
さらに、制御手段は、回転体の回転速度が定常回転速度に達してから設定期間内に、当該回転体に対応する停止信号出力手段から停止信号が出力されない場合には、当該回転体を停止させる。
本発明の遊技機は、スロットマシンやパチンコ機等として構成することができるが、好適にはスロットマシンとして構成される。
「駆動手段」は、各回転体に共通に設けられていてもよいし、各回転体毎に設けられていてもよい。
「開始信号出力手段」は、回転体を回転させる開始信号を出力可能な手段が用いられ、典型的には、遊技者が操作可能なスタートレバーの操作を検出して開始信号を出力する手段が用いられる。
「停止信号出力手段」は、回転体を停止させる停止信号を出力可能な手段が用いられ、典型的には、遊技者が操作可能なストップボタンの操作を検出して停止信号を出力する手段が用いられる。
なお、「停止操作期間」は、遊技者が停止ボタンの操作タイミングを容易に決定することができる期間を意味し、典型的には、回転体が一定の回転速度で回転している期間を意味する。
【発明の効果】
【０００５】
請求項１に記載の遊技機を用いれば、回転体の始動必要トルクのばらつきがあっても、停止操作期間がばらつくことがない。したがって、遊技者は、常に同じ遊技条件で遊技を行うことができる。
【発明を実施するための最良の形態】
【０００６】
以下に、本発明の実施の形態を、図面を参照して説明する。
本発明をスロットマシンとして構成した一実施の形態の正面図を図１に示す。
図１に示すように、スロットマシン１００は、その本体に表示部（表示窓）１０１、１０２、１０３、遊技メダル投入口１０７、スタートレバー（操作レバー）１０９、停止ボタン１１１、１１２、１１３等を備えている。
表示部１０１の裏面側には、後述する回転型表示器１０が配置されている。この表示部１０１には、回転体（回胴リール）１１の表示用図柄が３個程度見えるように構成されている。同様に、表示部１０２の裏面側には回転型表示器２０が配置され、この表示部１０２には、回転体（回胴リール）２１の表示用図柄が３個程度見えるように構成されている。また、表示部１０３の裏面側には回転型表示器３０が配置され、この表示部１０３には、回転体（回胴リール）３１の表示用図柄が３個程度見えるように構成されている。
遊技メダル投入口１０７には、遊技の態様に応じて１枚〜複数枚の遊技メダルを投入することができる。
表示部１０１、１０２、１０３には、水平方向に３本（ラインＬ１〜Ｌ３）、斜め方向に２本（ラインＬ４、Ｌ５）の停止ラインが設けられている。各回転型表示器１０、２０、３０の回転体１１、２１、３１が回転動作を開始してから停止した時、いずれかの停止ラインに沿って配置されている表示用図柄により形成される図柄配列が当たり図柄配列と一致すると、遊技者に特典が付与される。有効な停止ラインの数は、遊技メダル投入口１０７に投入された遊技メダルの枚数に応じて決定される。
スタートレバー１０９は、各回転型表示器１０、２０、３０の回転体１１、２１、３１の回転を開始させるためのものである。スタートレバー１０９には、スタートレバー１０９が操作されたことを検出してスタート信号（始動信号）を出力する始動信号出力手段が設けられている。
停止ボタン１１１、１１２、１１３は、回転体１１、２１、３１に対応して設けられており、それぞれ回転体１１、２１、３１の回転動作を停止させるためのものである。停止ボタン１１１、１１２、１１３には、停止ボタン１１１、１１２、１１３が操作されたことを検出してストップ信号（停止信号）を出力する停止信号出力手段が設けられている。
【０００７】
次に、本実施の形態の制御系の概略構成図を図２に示す。
図２に示す制御系は、制御回路１を主体に構成されている。制御回路（制御手段）１は、スロットマシン１００全体を制御するＣＰＵ（処理回路）、制御プログラムや乱数発生プログラム等が記憶されているＲＯＭ、作業情報を格納するＲＡＭ、乱数発生用のカウンタ、入力制御回路、出力制御回路を有している。
制御回路１には、回転体検出部１４から出力される、回転型表示器１０、２０、３０の回転体１１、２１、３１に設けられている指示部を検出したことを示す検出信号（指示部検出信号）、メダル枚数検出部１５から出力される、遊技メダル投入口１０７に投入された遊技メダルの枚数を示すメダル枚数検出信号、スタート信号出力部（始動信号検出部）から出力される、スタートレバー１０９が操作されたことを示すスタート信号（始動信号）、ストップ信号出力部（停止信号出力部）１７から出力される、ストップボタン１１１、１１２、１１３が操作されたことを示すストップ信号（停止信号）が入力される。
そして、制御回路１は、スタート信号及びストップ信号、抽選結果に基づいて、各回転体１１、２１、３１のモータ（例えば、ステップモータ）Ｍ１、Ｍ２、Ｍ３を駆動するモータ駆動部１３に制御信号を出力する。また、制御回路１は、停止ラインに沿って表示されている表示用図柄により当たり図柄配列が形成された場合には、所定数のメダル払出信号をメダル払出部１８に出力する。さらに、遊技状態に応じて光や音により演出を行うために、液晶やＬＥＤ等により構成される表示器３、ランプ４、スピーカ５を制御する表示／音声制御回路２に遊技状態に応じた制御信号を出力する。例えば、リーチ状態になったことを報知する演出、当たり図柄配列が形成されたことを報知する演出等を行う。
モータ駆動部１３は、各モータＭ１〜Ｍ３に共通に設けられた駆動手段により構成してもよいし、各モータＭ１〜Ｍ３毎に設けられた駆動手段により構成してもよい。また、回転体検出部１４は、各回転体１１〜３１に共通に設けられた検出手段により構成してもよいし、各回転体１１〜１３毎に設けられた検出手段により構成してもよい。また、ストップ信号出力部１７は、各ストップボタン１１１、１１２、１１３に共通に設けられたストップ信号出力手段により構成してもよいし、各ストップボタン１１１、１１２、１１３毎に設けられたストップ信号出力手段により構成してもよい。
【０００８】
次に、本実施の形態のスロットマシンで使用可能な回転型表示器の一実施の形態を図３〜図５に示す。
なお、各回転型表示器１０、２０、３０は同じ構造であるため、回転型表示器１０について説明する。また、通常、スロットマシンでは回転型表示器の回転体の外周に２１個の図柄が設けられているが、以下では、回転型表示器１０の回転体１１の外周に４つの表示用図柄Ａ１〜Ａ４が設けられている場合について説明する。
図３は回転型表示器１０の概略構成図（斜視図）であり、図４は図３のＩＶ線矢視図（側面図）であり、図５は、回転体１１に設けられている指示部ａ１〜ａ３を検出する検出手段１３の構成を示す図である。
回転型表示器１０は、回転体１１、パルスモータＭ１（駆動手段）、検出手段１３等により構成されている。
回転体１１の外周面には、周方向に沿って複数の表示用図柄が設けられている。本実施の形態では、図４に示すように、回転体１１の外周面に４個の表示用図柄領域Ａ１〜Ａ４が設けられ、各表示用図柄領域Ａ１〜Ａ４に表示用図柄が設けられている。以下では、特に断りがない限り、「表示用図柄」という記載は、表示用図柄あるいは表示用図柄が設けられる表示用図柄領域を意味するものとして用いる。
表示用図柄Ａ１〜Ａ４を回転体１１に設ける方法としては、例えば、回転体１１の外周面に表示用図柄Ａ１〜Ａ４を印刷する方法、表示用図柄Ａ１〜Ａ４が印刷されたシールを貼付する方法等を用いることができる。表示用図柄Ａ１〜Ａ４の設置位置や大きさ等は、回転体１１が停止した時に、表示部１０１に表示されている表示用図柄Ａ１〜Ａ４を遊技者が確実に視認可能となるように設定される。本実施の形態では、表示用図柄Ａ１〜Ａ４の周方向の長さが略等しく設定されている。
【０００９】
回転体１１は、駆動手段Ｍ１の駆動軸に連結されている回転軸１２に固定されている。これにより、回転体１１は駆動手段Ｍ１によって駆動可能である。なお、回転体１１は、図３及び図４の矢印方向（図１では、上方から下方の方向）に回転するものとする。
また、回転体１１には、複数の表示用図柄のうちの少なくとも１つの表示用図を除く表示用図柄の回転体上の位置を示す指示部が設けられている。本実施の形態では、図４に示すように、表示用図柄Ａ１〜Ａ４のうち、表示用図柄Ａ４を除く表示用図柄Ａ１〜Ａ３に対応させて、表示用図柄Ａ１〜Ａ３それぞれの位置を示す指示部ａ１〜ａ３が回転体１１に設けられている。本実施の形態では、各指示部ａ１〜ａ３は、表示用図柄Ａ１〜Ａ３の周方向の略中心に、回転体１１の一方の端部から軸方向外方に延在して設けられ、周方向に所定の長さを有している。すなわち、指示部の周方向の一方の端部から周方向に沿って他方の端部側に所定距離離れた位置に表示用図柄の周方向の略中心が設けられている。なお、指示部ａ１〜ａ３の配設位置や形状等は種々変更可能である。
ここで、遊技機では、表示器に当たり図柄あるいははずれ図柄を表示する場合がある。この場合、例えば、表示器に当たり図柄あるいは当たり図柄配列が表示されると遊技者に有利な遊技状態となるように構成されている。本実施の形態の可変型表示器を、このような当たり図柄あるいははずれ図柄を表示する表示器として用いる場合には、はずれ図柄を、指示部が設けられていない表示用図柄として用いるのが好ましい。これにより、指示部が設けられていないことによって回転体１１の停止位置の位置決め精度が低下した場合でも、表示用図柄が表示部１０１に対してずれて表示されるだけであるため、特に問題にならない。
【００１０】
検出手段１３は、回転体１１に設けられている指示部ａ１〜ａ３を検出する（指示部ａ１〜ａ３の通過を検出する）。検出手段１３は、例えば、図５に示すように、断面形状が略コ字形状を有する基部１３Ａと、基部１３Ａに取り付けられた発光器１３ａ及び受光器１３ｂにより構成されている。発光器１３ａと受光器１３ｂは、回転体１１に設けられている指示部ａ１〜ａ３が発光器１３ａと受光器１３ｂの間を通過するように配置されている。この場合、指示部ａ１〜ａ３としては、光を透過させない特性（遮光特性）を有するものを用いる。
発光器１３ａと受光器１３ｂは、１組設けてもよいし複数組設けてもよい。複数組設ける場合には、例えば、各組の受光器からの検出信号の多数決信号を指示部の検出信号として用いる。
本実施の形態の検出手段１３は、以下のように動作する。発光器１３ａと受光器１３ｂの間に指示部ａ１〜ａ３が存在しない時には、受光器１３ｂは、発光器１３ａから発光された光を受光し、指示部ａ１〜ａ３を検出していないことを示す検出信号（例えば、「Ｌ」レベルの検出信号）を出力する。一方、回転体１１の回転によって、発光器１３ａと受光器１３ｂの間に指示部ａ１〜ａ３が存在し、受光器１３ｂが発光器１３ａから発光された光を受光できなくなると、受光器１３ｂは、指示部ａ１〜ａ３を検出していることを示す検出信号（例えば、「Ｈ」レベルの検出信号）を出力する。
なお、本実施の形態では、検出手段１３として遮光式の光検出手段を用いたが、反射式の光検出手段を用いることもできる。この場合には、指示部ａ１〜ａ３として、光を反射する特性（反射特性）を有するものを用いる。
また、検出手段１３としては、光学式に限定されず、磁気式等の種々の方式の検出手段を用いることができる。この場合、指示部ａ１〜ａ３としては、検出手段１３で検出可能な特性を有するものを用いる。
【００１１】
次に、本実施の形態の動作を、図６に示すフローチャート図により説明する。
ここで、電源遮断時には、駆動手段Ｍ１への電力供給が遮断される。この時、回転体１１は、例えば、駆動手段Ｍ１の保持力によって停止位置に保持される。しかしながら電源遮断中に、回転体１１に何らかの力が加わって回転体１１が移動すると、回転体１１の実際の回転位置と、制御回路（制御手段）１が記憶している（把握している）回転位置が一致しなくなり、電源投入後に、回転体１１に設けられている表示用図柄Ａ１〜Ａ４を表示部１０１、１０２、１０３に正確に表示することができなくなる。このため、電源が投入された場合には、表示部１０１、１０２、１０３に表示されている表示用図柄を判別する必要がある。
また、駆動手段Ｍ１や検出手段１３等の異常は、早期に検出することが望まれている。例えば、電源投入時に、駆動手段Ｍ１や検出手段１３等の異常を検出する処理を実行することが好ましい。
そこで、本実施の形態では、電源投入時に、表示部１０１〜１０３に表示されている表示用図柄を判別する処理を実行する際に、駆動手段Ｍ１〜Ｍ３や検出手段１３等の異常を判別するように構成している。
【００１２】
各回転型表示器１０〜３０に設けられている駆動手段Ｍ１〜Ｍ３や検出手段１３等の異常検出動作は同じであるため、以下では、駆動手段Ｍ１と検出手段１３の異常を検出する場合について説明する。
本実施の形態では、電源投入時に表示部１０１に表示されている表示用図柄を判別する処理として、表示部１０１に対する表示用図柄の配置パターンを判別する。また、同時に、駆動手段Ｍ１や検出手段１３等の異常も判別する。
図６に示す処理は、制御回路（制御手段）１が実行し、例えば、電源スイッチがオンされて電源が投入され、電源電圧が、制御回路１や駆動手段Ｍ１が作動可能な値に達した時点で開始される。
ステップＳ１では、表示部１０１に対する表示用図柄の配置パターンを判別する。表示部１０１に対する表示用図柄の配置パターンの判別では、停止時（この場合、電源投入時）に表示部１０１に表示されていた表示用図柄を基準とし、回転体１１が所定回転方向（図１及び図２の矢印方向）に回転する場合に、検出手段１３から出力される検出信号と関連付けて表示部１０１に表示される表示用図柄の順序を判別する。
【００１３】
表示部１０１に対する表示用図柄の配置パターンを判別するには、まず、回転体１１を所定の回転方向に少なくとも1回転させ、回転体１１が停止している状態から１回転する間に、検出手段１３から出力される、回転体１１に設けられている指示部ａ１〜ａ３を検出したことを示す検出信号を得る。この時、回転体１１の回転速度は適宜設定することができるが、定常回転速度よりも低い回転速度を設定するのが好ましい。
回転体１１を少なくとも1回転させる方法としては、種々の方法を用いることができる。例えば、回転体１１を１回転させるのに必要な数の電力パルスを駆動手段Ｍ１に供給する方法を用いることができる。
しかしながら、パルスモータの脱調や伝達部材のすべり等によって、回転体１１を１回転させるのに必要な数の電力パルスを駆動手段Ｍ１に供給しても、回転体１１が１回転しない場合がある。また、例えば、指示部が設けられていない表示用図柄Ａ４が表示部１０１に表示されている状態で停止していた場合には、回転体１１が１回転しただけでは後述する検出信号の出力パターンを正確に判別することができない場合もある。このため、回転体１１を1回転以上、例えば、１回転半させるのに必要な数の電力パルスを駆動手段Ｍ１に供給し、回転体１１が確実に１回転以上回転するように構成するのが好ましい。
あるいは、回転体１１を所定回転方向に回転させ、最初に検出手段１３から指示部を検出したことを示す検出信号が出力された後、回転体１１を１回転させるのに必要な数の電力パルスを供給する方法を用いることもできる。指示部ａ１〜ａ３が図４に示すように配設されている場合には、回転体１１が停止して検出手段１３から指示部を検出していることを示す検出信号（例えば、「Ｈ」レベルの検出信号）が出力されている状態から回転体１１を回転させ、検出手段３０から指示部を検出していないことを示す検出信号（例えば、「Ｌ」レベルの検出信号）が出力された後、次に、検出手段１３から指示部を検出していることを示す検出信号（例えば、「Ｈ」レベルの検出信号）が出力された時点から、回転体１１を１回転させるのに必要な数の電力パルスを駆動手段Ｍ１に供給する。あるいは、検出手段１３から指示部を検出しなくなったことを示す検出信号が出力された時点（例えば、「Ｈ」レベルから「Ｌ」レベルに変化した時点）から、回転体１１を１回転させるのに必要な数の電力パルスを駆動手段Ｍ１に供給する。
【００１４】
この時、駆動手段Ｍ１に電力パルスの供給を開始してから、あるいは、回転体１１が回転を開始してから所定期間経過しても検出手段１３から指示部ａ１〜ａ３を検出したことを示す所定数の検出信号が出力されない場合には、駆動手段Ｍ１や検出手段１３等に異常が発生していると判断する。この場合、スピーカやランプ等によって駆動手段Ｍ１や検出手段１３等に異常が発生していることを報知するのが好ましい。
【００１５】
次に、このようにして得た、回転体１１が停止状態から１回転する間に検出手段１３から出力された指示部ａ１〜ａ３を検出したことを示す検出信号のパターン（検出信号の出力パターン）、すなわち、回転体１１上の指示部ａ１〜ａ３の周方向に沿った配置パターンを判別する。指示部ａ１〜ａ３の周方向に沿った配置パターンを判別する方法としては、各検出信号間の間隔パターンを判別する方法を用いることができる。
検出信号の出力パターンを判別する方法としては、種々の方法を用いることができる。例えば、検出信号の出力パターンと予め設定されている設定パターンとを比較する方法を用いることができる。
ここで、図４に示す回転体１１が用いられている場合には、回転体１１が１回転する間に、検出手段１３から指示部ａ１〜ａ３を検出したことを示す検出信号が３個出力される。また、指示部ａ１とａ２間及び指示部ａ２とａ３間の間隔は、指示部ａ３とａ１間の間隔より短い。このため、指示部ａ１とａ２間及び指示部ａ２とａ３間の間隔のように１個の表示用図柄の周方向の長さ相当の間隔を短間隔、指示部ａ３とａ１間の間隔のように１個の表示用図柄の周方向の長さより長い間隔を長間隔とした場合、検出信号の出力パターンは、回転体１１の停止位置に応じた検出信号及び短期間と長期間の検出信号間隔の組み合わせパターンとなる。そこで、制御回路１の記憶手段に、回転体１１の停止位置に応じた検出信号の出力パターンを設定パターンとして記憶させておくのが好ましい。また、制御手段１の記憶手段には、回転体１１上の指示部ａ１〜ａ３と表示用図柄Ａ１〜Ａ４の周方向に沿った関係も記憶しておく。
【００１６】
次に、制御手段１は、検出信号の出力パターンと設定パターンとを比較する。検出手段の出力パターンと設定パターンとを比較する方法としては、種々の方法を用いることができる。
例えば、まず、回転体１１が停止状態から１回転する間に検出手段３０から出力された検出信号の数と設定値（図２に示す回転体１１の場合には「３」個）を比較する。検出信号の数が設定値「３」より少ない場合には、駆動手段Ｍ１や検出手段１３等に異常が発生していることを判別する。
検出信号の数が設定値「３」である場合には、検出信号の出力パターンと各設定パターンを比較し、検出信号の出力パターンと一致する設定パターンを判別する。検出信号の数が４以上の場合には、最初の３個の検出信号の出力パターンを用いる。
一致する設定パターンが存在しない場合には、駆動手段２０や検出手段３０等に異常が発生していることを判別する。
一致する設定パターンが存在する場合には、その設定パターンを判別する。そして、判別した設定パターン、回転体１１上の指示部ａ１〜ａ３と表示用図柄Ａ１〜Ａ４との関係に基づいて、回転体１１の停止時に表示部１０１（例えば、表示部１０１の中央位置）に表示されていた表示用図柄を基準として、回転体１１が所定の回転方向に回転するにしたがって検出手段１３から出力される検出信号と関連付けて、表示部１０１に表示される表示用図柄の順序、すなわち、表示部１０１に対する表示用図柄の配置パターンを判別する。
そして、判別した表示部１０１に対する表示用図柄の配置パターンと、回転体１１が回転を開始してから現時点までに検出手段１３から出力された検出信号の数に基づいて、現時点で表示部１０１に表示されている表示用図柄を判別する。なお、駆動手段Ｍ１としてパルスモータを用いている場合には、パルスモータＭ１の回転角度、したがって、回転体１１の回転角度は、パルスモータＭ１に供給した電力パルスの数の累積値によって判別することができる。したがって、判別した表示部１０１に対する表示用図柄の配置パターンと、パルスモータＭ１（したがって、回転体１１）が停止している状態からパルスモータＭ１に供給した電力パルスの数の累積値に基づいて、現時点で表示部３に表示されている表示用図柄を判別することができる
表示部１０１に対する表示用図柄の配置パターンを判別すると、回転体１１を停止させて待機状態とする。待機状態において、表示部１０１〜１０３に表示する表示用図柄の組み合わせは適宜選択することができるが、停止ライン上に表示される表示用図柄によってリーチ図柄配列（例えば、停止ライン上に３つの表示用図柄が表示される場合、２つの図柄が停止表示されており、変動している残りの１つの表示用図柄が、特定の表示用図柄で停止すると当たり図柄配列が形成される状態）や当たり図柄配列が形成されない表示用図柄の組み合わせを選択するのが好ましい。
【００１７】
次に、ステップＳ２で、変動開始条件が成立したか否かを判断する。
変動開始条件としては、スロットマシンの場合には、スタートレバー１０９が操作されてスタート信号出力手段からスタート信号（始動信号）が制御回路１に入力されたことを用いることができる。
また、変動開始条件としては、パチンコ機の場合には、遊技球が特定のゲートを通過したことあるいは遊技球が特定の入賞口に入賞したこと（例えば、遊技球が特定のゲートを通過したことを検出するゲート通過検出センサーあるいは遊技球が特定の入賞口に入賞したことを検出する入賞検出センサーがオンしたこと）を用いることができる。あるいは、（１）遊技者が遊技媒体を遊技盤に発射させるために発射ハンドル（発射操作部）に接触したこと（例えば、発射ハンドルのタッチセンサーがオンしたこと）、（２）遊技媒体が遊技盤に発射されたこと（例えば、遊技盤に発射された遊技媒体を検出する発射検出センサーがオンしたこと）、（３）抽選図柄の表示が終了し、デモ画面を表示する時、（４）所定時間以上遊技が行われない時、等の条件を用いることもできる。
スタート信号（始動信号）が制御回路１に入力されると（変動開始条件が成立すると）、ステップＳ３に進む。
この時、制御手段１は、抽選手段により抽選を行う。例えば、当たり判定用の乱数を読み取り、読み取った当たり判定用の乱数が当たり値であるか否かを判別する。制御手段１は、この抽選手段による抽選結果に基づいて、表示部１０１〜１０３に表示する表示用図柄を決定する。例えば、抽選結果が当たりである場合（読み取った当たり判定用の乱数が当たり値である場合）には、表示部１０１〜１０３に当たり図柄配列を形成する表示用図柄を表示可能である。一方、抽選結果がはずれである場合（読み取った当たり判定用の乱数が当たり値でない場合）には、表示部１０１〜１０３には、当たり図柄配列を形成する表示用図柄は表示せず、はずれ図柄配列を形成する表示用図柄のみを表示可能である。例えば、１番目及び２番目に停止させる表示用図柄はストップボタン１１１〜１１３の操作タイミングによって停止図柄を決定することができるが、３番目に停止させる表示用図柄は、当たり図柄配列が形成されないように停止図柄を決定する。
【００１８】
ステップＳ３では、モータ駆動部１３を制御して回転体１１を所定回転方向に回転させ、表示部１０１に表示用図柄を変動表示させる。例えば、所定の加速度で駆動手段Ｍ１（回転体１１）の回転速度を定常回転速度まで上昇させた後、駆動手段Ｍ１（回転体１１）を定常回転速度で回転させる。
回転体１１を回転させる時には、ステップＳ１で判別した表示部１０１に対する表示用図柄の配置パターンと、駆動手段Ｍ１に供給した電力パルスの数の累積値あるいは検出手段１３から出力される、指示部ａ１〜ａ３を検出したことを示す検出信号に基づいて、表示部１０１に表示されている表示用図柄を順次判別する。
【００１９】
ステップＳ３で回転体１１を回転させた後、変動停止条件が成立したか否かを判断する。変動停止条件としては、ストップボタン１１１が操作されてストップ信号出力手段からストップ信号（停止信号）が出力されたこと（停止操作が行われたこと）、駆動手段Ｍ１（回転体１１）の回転速度が定常回転速度に達した後、ストップボタン１１１が操作されない状態（ストップボタン１１１に対応するストップ信号出力手段から停止信号が出力されない状態）が設定期間継続したことを用いる。
【００２０】
まず、ステップＳ４で、ストップボタン１１１に対応するストップ信号出力手段からストップ信号が制御手段１に入力されたか否かを判断する。ストップ信号が入力されない場合には、ステップＳ５に進む。一方、ストップ信号が入力された場合には、ステップＳ６に進む。
次に、ステップＳ５で、駆動手段Ｍ１（回転体１１）の回転速度が定常回転速度に達した後、ストップボタン１１１に対応するストップ信号出力手段からストップ信号が出力されない状態が設定期間以上継続したか否かを判断する。ストップ信号が入力されない状態が設定期間以上継続していない場合には、ステップＳ４に戻る。一方、ストップ信号が入力されない状態が設定期間以上継続した場合には、ステップＳ６に進む。
【００２１】
ステップＳ６では、停止図柄を決定する。
ここで、ステップＳ４からステップＳ６に進んだ場合（ストップボタン１１１が操作されてストップ信号が入力された場合）には、ストップボタンの操作タイミング（ストップ信号が入力された時刻）と、ステップＳ３で行った抽選手段による抽選結果に基づいて停止図柄を決定する。
例えば、抽選結果がはずれである場合には、第１番目及び第２番目に停止表示させる表示用図柄は、ストップボタンの操作タイミングによって決定するが、第３番目に停止表示させる表示用図柄は、ストップボタンの操作タイミングと抽選結果に基づいて決定する。すなわち、抽選結果がはずれである場合には、表示部１０１〜１０３に表示される表示用図柄によって当たり図柄配列が形成されないように停止図柄を決定する。
一方、抽選結果が当たりである場合には、第１番目〜第３番面に停止表示させる表示用図柄は、ストップボタンの操作タイミングによって決定する。
また、ステップ５４からステップＳ６に進んだ場合（設定期間が経過した場合）には、ステップＳ３で行った抽選手段の抽選結果に基づいて停止図柄を決定する。
ステップＳ６で停止図柄を決定した後、ステップＳ７に進む。
【００２２】
ステップＳ７では、制御手段１は、ステップＳ１で判別した表示部１０１に対する表示用図柄の配置パターンとステップＳ１から現時点までの間に駆動手段Ｍ１に供給した電力パルスの数の累積値と、ステップＳ６で決定した停止図柄が表示部１０１に表示されるように駆動手段Ｍ１を制御する。
なお、駆動手段Ｍ１としてステップモータを用いる場合には、ステップモータＭ１の回転角度（回転体の回転角度）は、ステップモータＭ１に供給した電力パルスの数の累積値に基づいて算出することができる。したがって、ステップＳ１で判別した表示部に対する表示用図柄の配置パターンとステップＳ１から現時点までの間に駆動手段Ｍ１に供給した電力パルスの数の累積値に基づいて、現時点で表示部１０１に表示されている表示用図柄を判別することができる。
【００２３】
ここで、駆動手段Ｍ１は、定常回転速度で回転している状態から停止させるまでに時間を要する。このため、本実施の形態では、図４に示すように、表示用図柄Ａ１〜Ａ３の位置を示す指示部ａ１〜ａ３は、各表示用図柄Ａ１〜Ａ３の周方向の略中心に配置され、周方向に所定の長さを有している。指示部ａ１〜ａ３としては、表示用図柄Ａ１〜Ａ３の周方向の略中心が、表示部３の略中心に一致する位置より回転方向後方側に所定距離離れた位置に到達した時点で検出手段１３から指示部を検出したことを示す検出信号が出力されるように構成されていればよい。
制御手段１は、指示部ａ１〜ａ３が設けられている表示用図柄Ａ１〜Ａ３が停止図柄として決定された場合には、検出手段１３から指示部ａ１〜ａ３を検出したことを示す検出信号が出力されてから回転体１１が所定回転角度回転した後に停止させる。
例えば、表示用図柄Ａ１が停止図柄として決定された場合には、ステップＳ１で判別した、表示部１０１に対する表示用図柄の配置パターンと、検出手段３０から出力される検出信号に基づいて、表示用図柄Ａ１に対応する指示部ａ１を検出したことを示す検出信号が検出手段１３から出力されたことを確認すると（ｍ１で検出信号の立ち上がりエッジを検出すると）、その時点から、駆動手段Ｍ１に所定数の電力パルスを供給した後、ｍ２で駆動手段を停止させる。これにより、表示用図柄Ａ１の周方向の略中心ｍ２が表示部１０１の略中心に一致した状態で回転体１１が停止するため、表示用図柄Ａ１が表示部１０１に、遊技者が確実に視認可能に表示される。
なお、指示部ａ１〜ａ３の回転方向前端部と各表示用図柄Ａ１〜Ａ３の周方向の略中心ｍ２、ｍ５、ｍ８との間の角度（周方向の長さ）は略等しく設定されている。このため、検出手段１３が指示部ａ１〜ａ３を検出した時点ｍ１、ｍ４、ｍ７から駆動手段Ｍ１に所定数の電力パルスを供給した後に回転体１１を停止させることにより、各表示用図柄Ａ１〜Ａ３の周方向の中心を表示部１０１の略中心に一致させた状態で回転体１１を停止させることができる。
【００２４】
また、制御手段１は、指示部が設けられていない表示用図柄Ａ４が停止図柄として決定された場合には、検出手段１３によって、表示用図柄Ａ４の進行方向前方に設けられている指示部ａ３が検出された後（ｍ７で検出信号の立ち上がりエッジを検出した後）、所定数の電力パルスを駆動手段Ｍ１に供給した時点（表示用図柄Ａ１の周方向の略中心が表示部３の略中心に一致する時点ｍ８）から、駆動手段Ｍ１に供給した電力パルスの数を計数（カウント）する。そして、電力パルスの計数値が、表示用図柄Ａ３の周方向の略中心ｍ８が表示部１０１の略中心に一致している状態から、表示用図柄Ａ４の周方向の略中心ｍ１０が表示部１０１の略中心に一致するまで回転体１１を回転させるのに必要な電力パルスの数に一致した時点で回転体１１を停止させる。
【００２５】
ステップＳ８では、回転体１１の停止時に、表示部１０１に対する表示用図柄の配置パターンを再度判別する。
この場合、回転体１１が停止した時に表示部１０１に表示されている表示用図柄は、ステップＳ６で停止図柄として決定された表示用図柄であるから、この表示用図柄を基準とする、検出信号の設定パターンを判別することによって、表示部１０１に対する表示用図柄の配置パターンを判別することができる。
ステップＳ８で表示部１０１に対する表示用図柄の配置パターンを判別した後、ステップＳ２に戻る。ステップＳ２では、変動開始条件が成立すると回転体１１を所定回転方向に回転させる。この場合には、ステップＳ６で判別した、変動開始条件の成立により変動、停止した時に判別した表示部１０１に対する表示用図柄の配置パターンと、検出手段１３から出力される、指示部ａ１〜ａ３を検出したことを示す検出信号に基づいて、表示部１０１に表示される表示用図柄を順次判別する。
以下、同様にして、表示用図柄の変動及び停止が実行される毎に、表示部に対する表示用図柄の配置パターンを判別する。
なお、パチンコ機の場合には、遊技者がストップボタンを操作することによって変動を停止させることはほとんどなく、変動を開始してから所定時間経過したことにより変動を停止させる。また、停止図柄は、抽選手段による抽選結果に基づいて決定する。
【００２６】
本発明の遊技機で用いる回転型表示器の動作を、図１３に示すタイムチャート図により具体的に説明する。
電源が投入されると、回転体１１を停止状態から少なくとも１回転させて表示部に対する表示用図柄の配置パターンを判別する（ステップＳ１）。
図１３では、電源投入により回転体が停止状態から１回転する間における検出信号の出力パターン［（検出信号）−短間隔−（検出信号）−長間隔−（検出信号）］が検出される。
この検出信号の出力パターンに該当する検出信号の設定パターンは、設定パターン［（指示部ａ２）−（指示部ａ３）−（指示部ａ１）］である。すなわち、図１３に示す状態で電源が投入された場合には、表示部１０１に対する表示用図柄の配置パターンとして、表示部１０１に、指示部ａ２が設けられている表示用図柄Ａ２から開始され、指示部ａ３が設けられている表示用図柄Ａ３、指示部が設けられていない表示用図柄Ａ４、指示部ａ１が設けられている表示用図柄Ａ１の順に表示される配置パターンが判別される。
また、検出手段１３から出力される検出信号の数が「３」個であるため、電源投入時における表示部１０１に対する表示用図柄の配置パターンの判別処理を終了し、回転体１１が停止している状態では、表示部１０１に表示用図柄Ａ１が表示されていることを判別する。
【００２７】
電源投入時における表示部１０１に対する表示用図柄の配置パターンの判別処理を終了して回転体１１が停止している状態で、変動開始条件が成立すると（ステップＳ２）、制御手段１は、回転体１１を回転させる（ステップＳ３）。
そして、停止図柄が決定されると（ステップＳ６）、制御手段１は、電源投入時に判別した、表示部１０１に対する表示用図柄の配置パターンと、駆動手段Ｍ１に供給する電力パルスの数の積算値に基づいて、決定された停止図柄が表示部１０１に表示されるように駆動手段Ｍ１を制御する（ステップＳ５）。図１３では、表示用図柄Ａ１が停止図柄として決定されたため、指示部が設けられていない表示用図柄Ａ４が表示部１０１に表示された後、検出手段１３から指示部ａ１を検出したことを示す検出信号が出力されると、駆動手段Ｍ１に所定数の電力パルスを供給した後、駆動手段Ｍ１を停止させる。
そして、変動開始条件の成立に応答して回転体が停止した時に、表示部１０１に対する表示用図柄の配置パターンを再度判別する（ステップＳ８）。
図１３では、表示部１０１に表示用図柄Ａ１が表示されている状態で回転体１１が停止しているため、設定パターンとして、設定パターン［（指示部ａ１）−短期間−（指示部ａ２）−短期間−（指示部ａ３）−長期間］が判別される。これにより、図１３に示す状態で再度変動開始条件が成立した場合には、表示部に対する表示用図柄の配置パターンとして、表示部１０１に、指示部ａ１が設けられている表示用図柄Ａ１から開始され、指示部ａ２が設けられている表示用図柄Ａ２、指示部ａ３が設けられている表示用図柄Ａ３、指示部が設けられていない表示用図柄Ａ４］の順に表示される配置パターンが判別される。
【００２８】
図６及び図１３に示した実施の形態では、電源投入時に表示部に対する表示用図柄の配置パターンを判別したが、電源投入後に、所定の条件の成立に応答して回転体を回転させる時に表示部に対する表示用図柄の配置パターンを判別することもできる。
本実施の形態で用いる回転型表示器の他の実施の形態の動作を、図７に示すフローチャート図により説明する。
図７に示す処理は、図６に示した処理と同様に、電源スイッチがオンされて電源が投入された時に開始される。
図７に示す処理では、電源が投入されて、電源電圧が制御手段や駆動手段等が作動可能な値に達しても、表示部に対する表示用図柄の配置パターンの判別処理は行わない。なお、電源投入時におけるイニシャル処理は行われる。
次に、ステップＴ１では、変動開始条件が成立したか否かを判断する。ステップＴ１での変動開始条件は、図６に示したステップＳ２での変動開始条件と同じ条件、すなわち、開始信号が入力されたか否かを用いることができる。変動開始条件が成立すると、ステップＴ２に進み、駆動手段Ｍ１を制御して回転体１１を回転させる。
【００２９】
ステップＴ３では、表示部１０１に対する表示用図柄の配置パターンを判別する。ステップＴ３での表示部に対する表示用図柄の配置パターンの判別処理は、図６に示したステップＳ１での配置パターンの判別処理と同様である。すなわち、回転体１１が停止状態から少なくとも１回転する間に、検出手段１３から出力される、回転体１１に設けられている指示部ａ１〜ａ３を検出したことを示す検出信号の出力パターンを判別する。このステップＴ３では、前記した駆動手段Ｍ１や検出手段１３等の異常の判別を行う。例えば、駆動手段Ｍ１に電力パルスを供給してから所定期間経過しても検出手段１３から指示部を検出したことを示す所定数の検出信号が出力されない場合、あるいは、回転体１１が１回転する間に検出手段１３から出力される指示部を検出したことを示す検出信号が所定数以下の場合等に駆動手段Ｍ１や検出手段１３に異常が発生していることを判別する。
そして、検出手段１３から出力される指示部を検出したことを示す検出信号の出力パターンと一致する設定パターンを判別する。さらに、判別した設定パターン、回転体１１上の指示部ａ１〜ａ３と表示用図柄Ａ１〜Ａ４との関係に基づいて、電源投入時に表示部１０１に表示されていた表示用図柄を基準とする、表示部１０１に対する表示用図柄の配置パターンを判別する。さらに、判別した表示部１０１に対する表示用図柄の配置パターンと、回転体１１が回転を開始してから現時点までに検出手段１３から出力された検出信号の数に基づいて、現時点で表示部１０１に表示されている表示用図柄を判別する。以後、検出手段から出力される指示部を検出したことを示す検出信号と、判別した表示部に対する表示用図柄の配置パターンに基づいて、表示部１０１に表示される表示用図柄を判別する。なお、判別した表示部に対する表示用図柄の配置パターンと、駆動手段に供給した電力パルスの数の累積値に基づいて、表示部１０１に表示される表示用図柄を判別することもできる。
【００３０】
ステップＴ４〜ステップＴ８の処理は、図６に示したステップＳ２〜ステップＳ６の処理と同様である。
すなわち、ステップＴ６で停止図柄が決定されると、ステップＴ７で、決定された停止図柄が表示部１０１に表示されるように、ステップＴ３で判別した表示部に対する表示用図柄の配置パターンと検出手段１３から出力される指示部を検出したことを示す検出信号あるいは駆動手段Ｍ１に供給した電力パルスの数の累積値に基づいて駆動手段Ｍ１を制御する。
回転体１１が停止すると、ステップＴ８で、表示部に停止図柄が表示されている状態から回転体１１が回転を開始した場合の、すなわち、表示部に表示されている停止図柄を基準とする、表示部に対する表示用図柄の配置パターンを判別する。
その後、変動開始条件が成立すると（ステップＴ７）、駆動手段２０を制御して回転体１１を回転させる。この時には、表示部３に表示される表示用図柄は、ステップＴ８で判別した表示部に対する表示用図柄の配置パターンに基づいて判別する。
本実施の形態では、電源投入後に、変動開始条件が成立して回転体を回転させる時に表示部に表示される表示部に表示される表示用図柄の配置パターンの判別処理、駆動手段や検出手段の異常の判別を行うため、電源投入時の処理量が減少し、短時間で使用可能となる。
【００３１】
図５に示した回転型表示器の動作を、図１４に示すタイムチャート図により具体的に説明する。
電源が投入されても、表示部に対する表示用図柄の配置パターンの判別は行われない。
電源が投入された後、変動開始条件が成立すると（ステップＴ１）、制御手段は、駆動手段を制御して回転体１１を回転させる（ステップＴ２）。この時、回転体１１が回転開始時から１回転する間に、検出手段１３から出力される、指示部ａ１〜ａ３を検出したことを示す検出信号の出力パターンを判別し、回転開始時に表示部１０１に表示されていた表示用図柄を基準とする、表示部１０１に対する表示用図柄の配置パターンを判別する（ステップＴ３）。
図１４では、回転開始時から回転体１１が１回転する間に検出手段から出力された検出信号の出力パターン［（検出信号）−短間隔−（検出信号）−長間隔−（検出信号）］が検出されている。
この検出信号の出力パターンに該当する設定パターンは、設定パターン［（指示部ａ２）−（指示部ａ３）−（指示部ａ１）］である。すなわち、図１４に示す状態で回転体１１の回転が開始された場合には、表示部に対する表示用図柄の配置パターンとして、表示部３に、表示用図柄Ａ２から開始され、表示用図柄Ａ３、表示用図柄Ａ４、表示用図柄Ａ１の順に表示される配置パターンが判別される。
また、検出手段１３からの検出信号の数が「３」個であるため、回転開始時における表示部に対する表示用図柄の配置パターンの判別処理を終了した時には、表示部１９１に表示用図柄Ａ１が表示されていることを判別する。以後、同様にして、表示部３に付与時される表示用図柄を判別する。
停止図柄が決定された後の停止処理、表示部３に対する表示用図柄の配置パターンの再判別処理は、図９と同様である。
【００３２】
以上の実施の形態では、指示部が設けられている表示用図柄の間に、指示部が設けられていない表示用図柄を１個だけ配置したが、指示部が設けられている表示用図柄の間に、指示部が設けられていない表示用図柄を２個以上配置することもできる。
このような場合には、指示部が設けられていない表示用図柄を挟んで両方向に設けられている指示部を検出したことを示す検出手段からの検出信号の間隔が長くなるだけで、動作は基本的に同様である。
【００３３】
また、指示部が設けられていない表示用図柄を１箇所にまとめて配置したが、指示部が設けられていない表示用図柄を複数のグループに分け、各グループの表示用図柄を異なる表示用図柄間に配置することもできる。
例えば、図９に示すように、回転型表示器４０の回転体４１の外周面に、９個の表示用図柄Ｇ１〜Ｇ９を設ける。そして、指示部が設けられていない表示用図柄を異なる数のグループに分ける。図９では、指示部が設けられていない１個の表示用図柄Ｇ２を有する第１のグループと、２個の表示用図柄Ｇ４とＧ５を有する第２のグループと、３個の表示用図柄Ｇ７〜Ｇ９を有する第３のグループに分けている。
そして、各グループの表示用図柄を、指示部が設けられている表示用図柄のうちの異なる表示用図柄間に配置する。図９では、第１のグループに属する１個の表示用図柄Ｇ２を表示用図柄Ｇ１とＧ３との間に配置し、第２のグループに属する２個の表示用図柄Ｇ４Ｇ５を表示用図柄Ｇ３とＧ６の間に配置し、第３のグループに属する３個の表示用図柄Ｇ７〜Ｇ９表示用図柄Ｇ６とＧ１の間に配置している。
本実施の形態では、表示部する表示用図柄の配置パターンを判別するために必要な、検出手段１３から出力される検出信号の出力パターンの数が多くなるが、指示部の数は減少させることができる。
また、指示部が設けられていない表示用図柄の数が各グループで異なっているため、いずれかの指示部に異常が発生して検出手段１３がその指示部を検出することができなくなった場合、正常な指示部間の間隔を判別することにより、異常が発生している指示部を判別することができる。
【００３４】
以上のように、本実施の形態では、スタートレバー１０９が操作されてスタート信号出力手段からスタート信号が出力されることによって、各回転型表示器１０、２０、３０の回転体１１、２１、３１（駆動手段Ｍ１、Ｍ２、Ｍ３）の回転速度が定常回転速度に達した時点から設定期間の間、各回転型表示器１０、２０、３０に対応するストップボタン１１１、１１２、１１３が設定期間操作されなかった場合（設定期間内に停止信号出力手段から停止信号が出力されなかった場合）に、当該ストップボタン１１１、１１２、１１３に対応する回転体１１、２１、３１を停止させる。
これにより、１回当たりの遊技時間が長くなるのを防止することができる。
また、本実施の形態では、回転型表示器１０、２０、３０の回転体１１、２１、３１が定常回転速度に達した時点から設定期間を計時している。これにより、回転体の始動期間が設定期間内に含まれていないため、回転体の始動必要トルクのばらつきがあっても、遊技者が停止ボタンの操作タイミングを容易に決定することができる期間（停止操作期間）がばらつくことがない。したがって、遊技者は、常に同じ遊技条件で遊技を行うことができる。
【００３５】
ところで、従来のスロットマシンでは、スタート信号が出力されてからストップ信号が出力されるまでの間、回転体は、定常回転速度で回転しているだけであり、表示部に表示される各回転体の表示用図柄は関連性がない。このため、スタートレバーが操作されて回転体が回転を開始してから、ストップボタンが操作されて回転体が停止するまでの期間では、面白みにかけていた。
そこで、本実施の形態では、スタートレバーが操作されて回転体が回転を開始してから、ストップボタンが操作されて回転体が停止するまでの期間内において、遊技者の興味を引く演出表示を行うように構成している。
すなわち、本実施の形態では、回転型表示器の回転体を定常回転速度で回転させる時に、回転体に設けられている表示用図柄を表示する表示部に、予め定められている表示用図柄の組み合わせが表示されるように、回転体の回転を制御する構成を用いている。
【００３６】
回転体に設けられている表示用図柄を表示する表示部に、予め定められている表示用図柄の組み合わせを表示する構成を、図１０〜図１２を用いて説明する。
なお、図１１、図１２には、遊技機に設けられている筐体４０、筐体４０に設けられている支持部１４、２４、３４、支持部１４、２４、３４に取り付けられている回転型表示器１０、２０、３０が示されている。
本実施の形態では、スタートレバー１０９の操作によってスタート信号が出力されたことに起因して、回転型表示器の回転体の回転速度を定常回転速度まで上昇させる際に、定常回転速度より低い低速回転速度において、表示部に表示される、少なくとも２つの回転体の表示用図柄の組み合わせが予め定められている組み合わせとなるように、少なくとも２つの回転体の回転位相を調整する。
【００３７】
スタートレバー１０９が操作されて制御部１にスタート信号が入力されると、制御部１は、回転型表示器１０、２０、３０の回転体（１１、２１、３１）（駆動手段Ｍ１〜Ｍ３）の回転速度を、図１０の実線で示すように、定常回転速度Ｖｈより低い低速回転速度Ｖｌまで上昇させる。
そして、回転体１１、２１、３１（駆動手段Ｍ１〜Ｍ３）の回転速度が低速回転速度ｖｌに保持されている状態で、回転体１１、２１、３１の回転位相合わせ処理を実行する。
まず、各回転体の回転位相の遅れ量や進み量（表示用図柄の数で表した遅れ量や進む量）を判別する。回転位相の遅れや進みは、予め定められている表示用図柄の組み合わせを形成する表示用図柄（例えば、表示用図柄「７」や「ＢＡＲ」）に関して判別する。
ここで、前述したように、制御部１は、各回転体１１、２２、３３の回転によって、表示部に対する各回転体１１、２２、３３の表示用図柄の配置パターンを判別している。したがって、この配置パターンを用いることにより、回転体１１、２２、３３の回転位相を判別することができる。
いま、図１１に示すように、回転体１１の表示用図柄「７」が、回転体２１の表示用図柄「７」に対して表示用図柄１個分進んでいるものとする。
【００３８】
そこで、制御手段１は、回転体１１、２１の一方を基準回転体とし、他方の回転位相を一方の位相に合わせる。本実施の形態では、回転位相が進んでいる方の回転体を基準回転体とし、遅れている方の回転体の回転位相を調整する方法を用いている。
したがって、制御部１は、回転位相が遅れている方の回転体２１の位相を、表示用図柄１個分だけ位相を進めるために、駆動手段Ｍ１の回転速度を上昇させる。回転位相を調整する方法としては、１回で位相調整を行うように位相差に対応する速度だけ回転速度を上昇させる方法、あるいは、予め定めた位相調整量に対応する速度だけ回転速度を上昇させる方法を用いることができる。
回転体２１の回転位相が回転体１１の回転位相に合致すると、図１２に示すように、回転体１１の表示用図柄「７」と回転体２１の表示用図柄「７」が同時に表示部に表示される状態となる。
そして、回転体２１の回転位相が回転体１１の回転位相に合致すると、回転体２１の回転速度を、回転体１１の回転速度、すなわち、低速回転速度Ｖｌに戻す。
そして、回転体１１及び回転体２１の回転速度を、定常回転速度Ｖｈまで上昇させる。
このように、回転体１１と回転体２１の回転位相を合わせることによって、表示部に表示される回転体１１の表示用図柄と回転体２１の表示用図柄は、予め定められた表示用図柄の組み合わせとなる。また、表示部には、予め定められた表示用図柄の組み合わせが、定常回転速度に対応した周期で表示される。
【００３９】
以上のように、回転体１１、２１が定常回転速度で回転している時に、表示部に表示される回転体１１の表示用図柄と回転体２１の表示用図柄によって予め定められている表示用図柄の組み合わせを形成させることにより、遊技者は遊技に対する期待感を高めることができる。
特に、遊技者に有利な遊技状態を予告する際に本実施の形態の方法を用いることにより、遊技者は遊技に対する期待感をより高めることができる。
なお、表示部に表示する表示用図柄の組み合わせは少なくとも２つ以上であればよい。
また、予め定められている表示用図柄の組み合わせは、適宜選択することができる。
また、回転体の回転位相の調整は、定常回転速度より低い回転速度で行うのが好ましいが、定常回転速度で行ってもよい。
特に、遊技者に有利な遊技状態を予告する際に本実施の形態の方法を用いることにより、遊技者は遊技に対する期待感をより高めることができる。
【００４０】
なお、図１０に示す「Ｔ」は、前述した設定時間を示している。
すなわち、従来技術では、スタートレバー１０９が操作されてスタート信号が出力された時刻ｔ１から設定時間「Ｔ」を計時している（破線参照）。この場合、設定時間「Ｔ」には、回転体の始動期間も含まれている。
一方、本実施の形態では、回転体の回転速度が定常回転速度Ｖｈに達してから設定時間「Ｔ」を計時している（実線参照）。これにより、回転体の始動必要トルクのばらつきがあっても、遊技者が停止ボタンの操作タイミングを容易に決定することができる期間（停止操作期間）がばらつくことがない。したがって、遊技者は、常に同じ遊技条件で遊技を行うことができる。
【００４１】
本発明は、実施の形態で説明した構成に限定されることなく、種々の変更、追加、削除が可能である。
例えば、表示部に対する表示用図柄の配置パターンは、回転体が少なくとも１回転する間、回転体が回転を開始してから少なくとも１回転する間に検出手段から出力される検出信号の出力パターンに基づいて判別することができる。
例えば、駆動手段や検出手段等の異常の判別を電源投入時あるいは電源投入後に最初に変動開始条件が成立した時に、表示部に対する表示用図柄の配置パターンを判別するときにのみ行ったが、適宜の時期に行うようにしてもよい。
また、回転体が回転開始してから１回転の間に検出手段から出力された検出信号の出力パターンを判別したが、回転体が回転している時や、１回転以上の間に検出手段から出力される検出信号の出力パターンを判別するようにしてもよい。
また、指示部を表示用図柄の周方向の中心に設けたが、指示部の配置位置は適宜変更可能である。さらに、指示部の形状、大きさ等も種々変更可能である。
また、回転体に設ける表示用部材の形状、数、配置位置等は種々変更可能である。
また、指示部の間隔を電力パルスの数によって検出したが、指示部の間隔を検出する方法としては種々の方法を用いることができる。
また、指示部を検出する検出手段としては、種々の構成あるいは形式の検出手段を用いることができる。
また、実施の形態で説明した回転型表示器は、スロットマシン以外の種々の遊技機に用いることができる。
【００４２】
本発明は、以下のように構成することができる。
例えば、「（態様１）請求項1の遊技機であって、少なくとも１つの表示用図柄を除く表示用図柄に対応させて前記回転体に設けられた指示部と、前記回転体に設けられた指示部を検出する検出手段を備え、前記制御手段は、前記回転体の回転により前記検出手段から出力された検出信号の出力パターンに基づいて前記表示部に対する表示用図柄の配置パターンを判別し、前記停止信号出力手段から停止信号が出力されると、前記判別した、前記表示部に対する表示用図柄の配置パターンと前記停止信号の出力タイミングに基づいて前記駆動手段を制御する、ことを特徴とする遊技機。」として構成することができる。
態様１の遊技機では、回転型表示器の回転体に設けられている複数の表示用図柄のうちの一部の表示用図柄それぞれの位置を示す指示部が回転体に設けられているとともに、回転体に設けられている指示部を検出する検出手段が設けられており、回転体の回転により検出手段から出力される検出信号の出力パターンに基づいて表示部に対する表示用図柄の配置パターンを判別し、判別した配置パターンと停止信号の出力タイミングに基づいて駆動手段を制御する。
ここで、指示部が設けられている回転体を回転させた時、指示部を検出可能な検出手段から出力される検出信号の出力パターン（例えば、検出信号間の間隔パターン）は、回転体上の指示部の配置パターン（例えば、指示部間の回転体の周方向の間隔パターン）に対応する。本発明では、複数の表示用図柄のうちの少なくとも１つの表示用図柄を除く表示用図柄に対応させ、対応する表示用図柄の位置を示す指示部を回転体に設けているため、回転体上の指示部の配置パターンと表示用図柄の配置パターンとの関係が分かっていれば、回転体上の指示部の配置パターンを判別することによって回転体上の表示用図柄の配置パターンを判別することができる。
また、本発明では、表示部と検出手段との間の位置関係が固定であるため、回転体の外周面に対向して設けられている表示部に表示される表示用図柄の順序、すなわち、表示部に対する表示用図柄の配置パターンは、回転体上の表示用図柄の配置パターンに一致する。このように、回転体の回転により、例えば、回転体が回転を開始してから１回転する間に、検出手段から出力される検出信号に基づいて、表示部に対する表示用図柄の配置パターン（表示部に表示される表示用図柄の順序）を判別することができる。
そして、表示部に対する表示用図柄の配置パターンと停止信号の出力タイミングに基づいて駆動手段を制御することにより、表示部に所定の表示用図柄を表示させることができる。
なお、開始信号出力手段から開始信号が出力されたことに起因して抽選を行う抽選手段を設け、表示部に対する表示用図柄の配置パターンと停止信号の出力タイミングさらに抽選手段の抽選結果に基づいて駆動手段を制御するように構成することもできる。
態様１の遊技機を用いれば、基準位置検出用の被検出部や、基準位置検出用の被検出部を検出するための基準位置検出用の検出手段を用いる必要がなく、表示用図柄の位置を示す指示部と、指示部を検出するための検出手段のみを設ければよいため、少ない部品数で、表示部に所定の表示用図柄を正確に表示することができる。また、回転体には複数の指示部が設けられているため、回転体の回転位置の検出精度が低下することはない。
【００４３】
また、「（態様２）請求項１または態様１の遊技機であって、前記制御手段は、前記少なくとも２つの回転体を定常回転速度で回転させる時、当該少なくとも２つの回転体に設けられている表示用図柄のうち、予め定められている組み合わせの表示用図柄が前記表示部に表示されるように、前記少なくとも２つの回転体を駆動する駆動手段を制御する、ことを特徴とする遊技機。」として構成することができる。
態様２の遊技機では、制御手段は、少なくとも２つの回転体を定常回転速度で回転させる時、表示部に表示される、当該少なくとも２つの回転体の表示用図柄が、予め定められている組み合わせの表示用図柄となるように少なくとも２つの回転体を制御する。
表示部に表示される、少なくとも２つの回転体の表示用図柄が、予め定められている組み合わせとなるように少なくとも２つの回転体を制御する方法としては、好適には、２つの回転体の回転位相を合わせた状態で同じ回転速度で回転させる方法を用いることができる。
少なくとも２つの回転体の回転位相の調整は、どの段階で行ってもよいが、定常回転速度に達する前に行うのが好ましい。
予め定められた組み合わせとしては、適宜の組み合わせを用いることができるが、同じ表示用図柄の組み合わせ、当たり図柄配列を形成する組み合わせを用いるのが好ましい。
態様２の遊技機を用いれば、回転体が定常回転速度で回転している時にも、遊技者に遊技に対する興趣を与えることができる、
【００４４】
また、「（態様３）態様２の遊技機であって、前記制御手段は、前記少なくとも２つの回転体に設けられている表示用図柄のうち、予め定められた同じ表示用図柄の組み合わせが前記表示部に表示されるように、前記少なくとも２つの回転体を駆動する駆動手段を制御する、ことを特徴とする遊技機。」として構成することができる。
態様３の遊技機では、予め定められた表示用図柄の組み合わせとして、予め定められた同一の表示用図柄の組み合わせを用いる。
態様３の遊技機を用いればは、同じ表示用図柄の組み合わせが表示部に表示されるため、遊技者は予め定められている表示用図柄の組み合わせが表示されていることを容易に判別することができる。
【００４５】
また、「（態様４）態様２または３の遊技機であって、前記制御手段は、前記少なくとも２つの回転体に設けられている表示用図柄のうち、予め定められた表示用図柄の組み合わせが前記表示部に表示されるように、前記少なくとも２つの回転体の位相を調整する、ことを特徴とする遊技機。」として構成することができる。
態様４の遊技機では、制御手段は、予め定められた表示用図柄の組み合わせが表示部に表示されるように、複数の回転体の回転位相を調整する。
複数の回転体の回転位相を調整する方法としては、例えば、回転位相が最も進んでいる回転体の回転位相を基準とし、基準となる回転体より回転位相が遅れている回転体の回転位相を進める方法や、回転位相が基も遅い回転体を基準として、基準となる回転体より回転位相が進んでいる回転体の回転位相を遅らせる方法を用いることができる。
回転位相を進める方法としては、回転速度を基準となる回転体の回転速度より高くする方法を用いることができ、回転位相を遅らせる方法としては、回転速度を基準となる回転体の回転速度より小さくする方法を用いることができる。
回転体の回転位相を調整する時期としては、適宜の時期を選択することができるが、定常回転速度より低い回転速度で回転している時期を選択するのが好ましい。
請求項４に記載の遊技機を用いれば、少なくとも２つの回転体の回転位相を一致させているため、予め定められた表示用図柄の組み合わせが、定常回転速度に同期して表示部に周期的に表示されるため、遊技者は、予め定められた表示用図柄の組み合わせが表示されていることを容易に判別することができるため、遊技に対する興趣をより高めることができる。
【図面の簡単な説明】
【００４６】
【図１】本発明の一実施の形態の正面図である。
【図２】本発明の一実施の形態の制御系の概略構成図である。
【図３】本発明での一実施の形態で用いる回転型表示器の一実施の形態を示す図である。
【図４】図２のＩＶ線矢視図（側面図）である。
【図５】回転型表示器の一実施の形態で用いる検出手段を示す図である。
【図６】回転型表示器の一実施の形態の動作を説明するフローチャート図である。
【図７】回転型表示器の他の実施の形態を動作を説明するフローチャート図である。
【図８】回転型表示器の一実施の形態の動作を説明する図である。
【図９】回転型表示器の他の実施の形態を示す図である。
【図１０】本発明の一実施の形態の動作を示す図である。
【図１１】本発明の動作を説明する図である。
【図１２】本発明の動作を説明する図である。
【図１３】回転型表示器の動作の一実施の形態を説明するタイムチャート図である。
【図１４】回転型表示器の動作の他の実施の形態を説明するタイムチャート図である。
【符号の説明】
【００４７】
１  制御回路（制御手段）
１０、２０、３０  回転型表示器
１１、２１、３１  回転体
１３  検出手段
Ｍ１、Ｍ２、Ｍ３  駆動手段
１０１、１０２、１０３  表示部
１０９  スタートレバー
１１１、１１２、１１３  ストップボタン
Ａ１〜Ａ４、Ｇ１〜Ｇ９  表示用図柄
ａ１〜ａ３、ｇ１〜ｇ３  指示部
【図１】
2006110017.tif 000003
【図２】
2006110017.tif 000004
【図３】
2006110017.tif 000005
【図４】
2006110017.tif 000006
【図５】
2006110017.tif 000007
【図６】
2006110017.tif 000008
【図７】
2006110017.tif 000009
【図８】
2006110017.tif 000010
【図９】
2006110017.tif 000011
【図１０】
2006110017.tif 000012
【図１１】
2006110017.tif 000013
【図１２】
2006110017.tif 000014
【図１３】
2006110017.tif 000015
【図１４】
2006110017.tif 000016